(57)【要約】【課題】半挿し状態でプラグとレセプタクルとが分離していない状態を発生させないことにより、嵌合状態であるか否かを目視により容易に判別することができるコネクタを提供することである。【解決手段】本発明に係るコネクタは、レセプタクル２０とプラグ３０とを備え、レセプタクル２０とプラグ３０とをロックさせるロック機構を備え、レセプタクル２０またはプラグ３０のいずれか一方が押し出し機構を備え、押し出し機構は、コネクタがロック機構によりロックされていない半挿し状態であるとき、プラグ２０をレセプタクル３０の外部に押し出して、レセプタクル２０とプラグ３０とを分離させることを特徴とする。【選択図】図１
2012146532.tif 000002
【特許請求の範囲】
【請求項１】
レセプタクルとプラグとを備えるコネクタであって、
前記コネクタは、前記レセプタクルと前記プラグとをロックさせるロック機構を備え、
前記レセプタクルまたは前記プラグのいずれか一方が押し出し機構を備え、
前記押し出し機構は、前記コネクタが前記ロック機構によりロックされていない半挿し状態であるとき、前記プラグを前記レセプタクルの外部に押し出して、前記レセプタクルと前記プラグとを分離させる
ことを特徴とするコネクタ。
【請求項２】
請求項１に記載のコネクタであって、
前記押し出し機構は、弾性部材と押し出しロッドとを備え、
前記弾性部材の一端は前記レセプタクルに固定され、前記弾性部材の他端は前記押し出しロッドに接続され、
前記押し出しロッドの前記弾性部材に接続されていない側の端部は、前記半挿し状態において、前記プラグが備える絶縁体と接触し、
前記押し出しロッドは、前記弾性部材の弾性力により、前記プラグを前記レセプタクルの外部に押し出すこと、
を特徴とするコネクタ。
【請求項３】
請求項１に記載のコネクタであって、
前記押し出し機構は、弾性部材と押し出しロッドとを備え、
前記弾性部材の一端は前記プラグに固定され、前記弾性部材の他端は前記押し出しロッドに接続され、
前記押し出しロッドの前記弾性部材に接続されていない側の端部は、前記半挿し状態において、前記レセプタクルが備える絶縁体と接触し、
前記押し出しロッドは、前記弾性部材の弾性力により、前記プラグを前記レセプタクルの外部に押し出すこと、
を特徴とするコネクタ。
【請求項４】
レセプタクルとプラグとをロックさせるロック機構と、
押し出し機構と、
を備えるレセプタクルであって、
前記押し出し機構は、前記プラグが前記ロック機構により前記プラグにロックされていない半挿し状態であるとき、前記プラグを前記レセプタクルの外部に押し出して、前記レセプタクルと前記プラグとを分離させる
ことを特徴とするレセプタクル。
【請求項５】
請求項４に記載のレセプタクルであって、
前記押し出し機構は、弾性部材と押し出しロッドとを備え、
前記弾性部材の一端は前記レセプタクルに固定され、前記弾性部材の他端は前記押し出しロッドに接続され、
前記押し出しロッドの前記弾性部材に接続されていない側の端部は、前記半挿し状態において、前記プラグが備える絶縁体と接触し、
前記押し出しロッドは、前記弾性部材の弾性力により、前記プラグを前記レセプタクルの外部に押し出すこと、
を特徴とするレセプタクル。
【請求項６】
レセプタクルとプラグとをロックさせるロック機構と、
押し出し機構と、
を備えるプラグであって、
前記押し出し機構は、前記プラグが前記ロック機構により前記プラグにロックされていない半挿し状態であるとき、前記プラグを前記レセプタクルの外部に押し出して、前記レセプタクルと前記プラグとを分離させる
ことを特徴とするプラグ。
【請求項７】
請求項５に記載のプラグであって、
前記押し出し機構は、弾性部材と押し出しロッドとを備え、
前記弾性部材の一端は前記プラグに固定され、前記弾性部材の他端は前記押し出しロッドに接続され、
前記押し出しロッドの前記弾性部材に接続されていない側の端部は、前記半挿し状態において、前記レセプタクルが備える絶縁体と接触し、
前記押し出しロッドは、前記弾性部材の弾性力により、前記プラグを前記レセプタクルの外部に押し出すこと、
を特徴とするプラグ。
【発明の詳細な説明】
【技術分野】
【０００１】
本発明は、一般にコネクタ、レセプタクルおよびプラグに関し、特に押し出し機構付きコネクタ、レセプタクルおよびプラグに関するものである。
【背景技術】
【０００２】
基地局等は、回線網やアンテナ等とケーブルを介して接続される。基地局等内の装置とケーブルとは、再接続を容易にするために、通常は、はんだ付けや圧着ではなくコネクタにより接続される。コネクタは、例えばプラグとレセプタクルとからなり、これらを組み合わせることにより嵌合される。レセプタクルは装置に取り付けられ、プラグはケーブルの先端に取り付けられる。コネクタは、通常、所定のロック機構を用いて嵌合される。コネクタのロック機構には、ネジ式、プッシュオン式などがある。
【０００３】
図１０〜１２により、従来のコネクタのロック機構を説明する。図１０（ａ）は、従来例のレセプタクル４２０およびプラグ４３０を示す。図１０（ｂ）に示すように、レセプタクル４２０は、ロック・ピン・ガイド５０３を有する。図１０（ｃ）に示すように、プラグ４３０は、コネクタ・ロック・ピン６０３を有する。
【０００４】
図１１に、従来のレセプタクル４２０およびプラグ４３０を示す。嵌合状態においては、レセプタクル４２０のピン・コンタクト５０４は、プラグ４３０のソケット・コンタクト６０４に挿入され、ピン・コンタクト５０４とソケット・コンタクト６０４とは導通する。
【０００５】
図１２に示すように、レセプタクル４２０とプラグ４３０とは、プラグ４３０のコネクタ・ロック・ピン６０３をレセプタクル４２０のロック・ピン・ガイド５０３に合わせて、プラグ４３０をレセプタクル４２０に挿し込み、完全に根元まで挿し込んでからプラグ４３０を回転させることによりロックされる。
【０００６】
また、装置とケーブルとを接続するコネクタとしては、モジュラコネクタおよびＳＦＰコネクタなども知られている（例えば、特許文献１参照）。
【先行技術文献】
【特許文献】
【０００７】
【特許文献１】特開２００８−０７７９２３号公報
【発明の概要】
【発明が解決しようとする課題】
【０００８】
基地局等と回線網等とがケーブルを介して安定して確実な信号のやり取りをするためには、コネクタが確実に接続している必要がある。そのためには、プラグとレセプタクルとがロック機構によってロックして嵌合した状態（嵌合状態）となっていなければならない。図１３（ａ）に、従来技術のコネクタの嵌合状態の様子を示す。しかし、従来技術においては、図１３（ｂ）に示すように、嵌合状態でない状態、すなわち、プラグ４３０がレセプタクル４２０に中途半端に挿し込まれていて、ロック機構によるロックがされていない状態（半挿し状態）であっても、プラグ４３０はレセプタクル４２０から分離しないため、目視による確認では、嵌合状態であると誤認されることがあった。
【０００９】
図１４は、装置４４０に固定されたレセプタクル４２０にプラグ４３０を接続している様子を示すものである。上側のプラグ４３０は半挿し状態を示し、下側のプラグ４３０は嵌合状態を示す。このように、半挿し状態と嵌合状態とでは、見かけ上の差異はそれほど顕著ではない。したがって、目視によって半挿し状態を検出することは困難であり、半挿し状態を見逃してしまう場合もある。このため、半挿し状態を確実に検出するためには、装置へケーブルを接続した後に、装置に電源を投入して接続試験をすることなどが必要となる。これは、基地局等の設置時における確認工数の増加につながり、コスト面から考えて好ましくない。
【００１０】
したがって、かかる点に鑑みてなされた本発明の目的は、半挿し状態でプラグとレセプタクルとが分離していない状態を発生させないことにより、嵌合状態であるか否かを容易に判別することができるコネクタを提供することである。
【課題を解決するための手段】
【００１１】
上述した諸課題を解決すべく、本発明によるコネクタは、
レセプタクルとプラグとを備えるコネクタであって、
前記コネクタは、前記レセプタクルと前記プラグとをロックさせるロック機構を備え、
前記レセプタクルまたは前記プラグのいずれか一方が押し出し機構を備え、
前記押し出し機構は、前記コネクタが前記ロック機構によりロックされていない半挿し状態であるとき、前記プラグを前記レセプタクルの外部に押し出して、前記レセプタクルと前記プラグとを分離させる
ことを特徴とする。
【００１２】
また、上述した諸課題を解決すべく、本発明によるレセプタクルは、
レセプタクルとプラグとをロックさせるロック機構と、
押し出し機構と、
を備えるレセプタクルであって、
前記押し出し機構は、前記プラグが前記ロック機構により前記プラグにロックされていない半挿し状態であるとき、前記プラグを前記レセプタクルの外部に押し出して、前記レセプタクルと前記プラグとを分離させる
ことを特徴とする。
【００１３】
また、上述した諸課題を解決すべく、本発明によるプラグは、
レセプタクルとプラグとをロックさせるロック機構と、
押し出し機構と、
を備えるプラグであって、
前記押し出し機構は、前記プラグが前記ロック機構により前記プラグにロックされていない半挿し状態であるとき、前記プラグを前記レセプタクルの外部に押し出して、前記レセプタクルと前記プラグとを分離させる
ことを特徴とする。
【００１４】
また、前記押し出し機構は、弾性部材と押し出しロッドとを備え、
前記弾性部材の一端は前記レセプタクルまたはプラグに固定され、前記弾性部材の他端は前記押し出しロッドに接続され、
前記押し出しロッドの前記弾性部材に接続されていない側の端部は、前記半挿し状態において、前記プラグまたは前記レセプタクルが備える絶縁体と接触し、
前記押し出しロッドは、前記弾性部材の弾性力により、前記プラグを前記レセプタクルの外部に押し出すこと、が望ましい。
【発明の効果】
【００１５】
本発明によれば、半挿し状態でプラグとレセプタクルとが分離していない状態を発生させないことにより、嵌合状態であるか否かを容易に判別することができるコネクタを提供することができる。
【図面の簡単な説明】
【００１６】
【図１】本発明の第１の実施形態に係るコネクタを示す図である。
【図２】本発明の第１の実施形態に係るレセプタクルを示す図である。
【図３】本発明の第１の実施形態に係るプラグを示す図である。
【図４】本発明の第１の実施形態に係る押し出しピンを示す図である。
【図５】本発明の第２の実施形態に係るコネクタを示す図である。
【図６】本発明の第２の実施形態に係るレセプタクル単体を示す図である。
【図７】本発明の第２の実施形態に係るプラグ単体を示す図である。
【図８】本発明の第３の実施形態に係るレセプタクル単体を示す図である。
【図９】本発明の第４の実施形態に係るプラグ単体を示す図である。
【図１０】従来のコネクタを示す図である。
【図１１】従来のプラグを示す図である。
【図１２】従来のコネクタを示す図である。
【図１３】従来のコネクタの嵌合状態および半挿し状態を示す図である。
【図１４】従来のコネクタの嵌合状態および半挿し状態を示す図である。
【発明を実施するための形態】
【００１７】
以下、本発明に係るコネクタの実施形態について、図面を参照して詳細に説明する。
【００１８】
（第１の実施形態）
図１は、本発明の第１の実施形態に係るコネクタ１０を示す図である。第１の実施形態に係るコネクタ１０はレセプタクル２０とプラグ３０とを備え、レセプタクル２０とプラグ３０とは、そのロック機構により嵌合状態を保持することができる。レセプタクル２０は、押し出しピン１０１を備える。
【００１９】
図２は、本発明の第１の実施形態に係るレセプタクル２０を示す図である。レセプタクル２０は、ハウジング１０５、絶縁体１０７、ピン・コンタクト１０４および押し出しピン１０１を備える。ハウジング１０５は、その内部に絶縁体１０７を備え、ピン・コンタクト１０４は、絶縁体１０７に固定される。絶縁体１０７は、ハウジング１０５とピン・コンタクト１０４とを絶縁する役割を果たす。ピン・コンタクト１０４は、信号線１０６を通して基地局等の装置（図示せず）の信号線と接続される。また、ピン・コンタクト１０４は、嵌合状態において、後に示すプラグ３０のソケット・コンタクト２０４に挿入され、ピン・コンタクト１０４とソケット・コンタクト２０４とは導通する。押し出しピン１０１は、ピン・コンタクト１０４と平行に絶縁体１０７に固定される。
【００２０】
ハウジング１０５は、その外面にロック・ピン・ガイド１０３の構造を有する。ロック・ピン・ガイド１０３は、コネクタ１０のロック構造の一部を構成するものであり、プラグ３０のコネクタ・ロック・ピン２０３を、レセプタクル２０のロック・ピン・ガイド１０３に合わせた状態で、プラグ３０をレセプタクル２０に挿し込み、完全に根元まで挿し込んだ状態で、プラグ３０を回転させることによりプラグ３０がレセプタクル２０にロックされる。
【００２１】
図３は、本発明の第１の実施形態に係るプラグ３０を示す図である。プラグ３０は、ハウジング２０５、絶縁体２０７、ソケット・コンタクト２０４を備える。ハウジング２０５は、その内部に絶縁体２０７を備え、ソケット・コンタクト２０４は、絶縁体２０７に固定される。絶縁体２０７は、ハウジング２０５とソケット・コンタクト２０４とを絶縁する役割を果たす。ソケット・コンタクト２０４は、信号線２０６を通してケーブル２１０と接続される。また、前述のように、嵌合状態においては、ソケット・コンタクト２０４に、レセプタクル２０のピン・コンタクト１０４が挿入され、ソケット・コンタクト２０４とピン・コンタクト１０４とは導通する。
【００２２】
ハウジング２０５は、その内側にコネクタ・ロック・ピン２０３を有する。前述のように、コネクタ・ロック・ピン２０３は、レセプタクル２０のロック・ピン・ガイド１０３とともに、コネクタ１０のロック機構を構成する。
【００２３】
図４に押し出しピン１０１の構造を示す。本実施形態においては、押し出しピン１０１はレセプタクル２０に含まれる。押し出しピン１０１は、円筒部材１２１、押し出しロッド１２２、ばね１２３およびキャップ１２４を備える。円筒部材１２１は、一方の端部が絶縁体１０７に固定され、他方の端部がキャップ１２４によって塞がれている。押し出しロッド１２２は、断面Ｔ形であり、円筒部材１２１内部をスライド自在に動くことが可能である。キャップ１２４は、中央部に穴が開いており、その穴から押し出しロッド１２２のロッド部が突き出る。絶縁体１０７と押し出しロッド１２２との間には、ばね１２３が接続される。ばね１２３は、例えば圧縮コイルばねであり、常に、押し出しロッド１２２を押し出す方向に力を作用させる。
【００２４】
図１に示すように、レセプタクル２０の押し出しピン１０１の先端は、コネクタ１０を嵌合させる際に、プラグ３０の絶縁体２０７と接触する。コネクタ１０が嵌合状態の場合は、プラグ３０がロック機構により固定されているため、押し出しロッド１２２は、プラグ３０の絶縁体２０７に押されて、円筒部材１２１の中に押し込まれた状態を保持する。コネクタ１０が半挿し状態の場合は、プラグ３０がロック機構により固定されていないため、押し出しロッド１２２は、プラグ３０の絶縁体２０７をレセプタクル２０の外側に押し出す。したがって、プラグ３０は、半挿し状態を保持することができず、完全にレセプタクル２０から外れた状態になる。
【００２５】
次に、本発明の第２の実施形態に係るコネクタ１０について、図面を参照して説明する。なお、第１の実施形態と同じ構成要素には同一の参照番号を付して説明を省略する。
【００２６】
（第２の実施形態）
図５は、本発明の第２の実施形態に係るコネクタ１０を示す図である。第２の実施形態に係るコネクタ１０はレセプタクル２０とプラグ３０とを備え、レセプタクル２０とプラグ３０とは、そのロック機構により嵌合状態を保持することができる。プラグ３０は、押し出しピン２０１を備える。レセプタクル２０ではなく、プラグ３０が押し出しピン２０１を有する点以外は、第２の実施形態は第１の実施形態と同様である。
【００２７】
図６は、本発明の第２の実施形態に係るレセプタクル２０を示す図である。第２の実施形態に係るレセプタクル２０は、第１の実施形態に係るレセプタクル２０とは押し出しピン１０１を有さない点が相違する。
【００２８】
図７は、本発明の第２の実施形態に係るプラグ３０を示す図である。プラグ３０は、第１の実施形態に係るプラグ３０とは相違し、押し出しピン２０１を備える。押し出しピン２０１は、ソケット・コンタクト２０４と平行に絶縁体２０７に固定される。
【００２９】
押し出しピン２０１の構造は、図４に示す構造であり、第１の実施形態の押し出しピン１０１と同様である。
【００３０】
図５に示すように、プラグ３０の押し出しピン２０１の先端は、コネクタ１０を嵌合させる際に、レセプタクル２０の絶縁体１０７と接触する。コネクタ１０が嵌合状態の場合は、プラグ３０がロック機構により固定されているため、押し出しロッド１２２は、レセプタクル２０の絶縁体１０７に押されて、円筒部材１２１の中に押し込まれた状態を保持する。コネクタ１０が半挿し状態の場合は、プラグ３０がロック機構により固定されていないため、押し出しロッド１２２が、レセプタクル２０の絶縁体１０７を押すことにより、プラグ３０はレセプタクル２０の外側に押し出される。したがって、プラグ３０は、半挿し状態を保持することができず、完全にレセプタクル２０から外れた状態になる。
【００３１】
次に、本発明の第３の実施形態に係るコネクタ１０について、図面を参照して説明する。なお、第１の実施形態と同じ構成要素には同一の参照番号を付して説明を省略する。
【００３２】
（第３の実施形態）
第３の実施形態は、第１の実施形態において、レセプタクル２０を、図８に示すレセプタクル２０に置き換えたものである。
【００３３】
レセプタクル２０は、押し出しピン１０１の代わりに押し出しリング１０２を備える。押し出しリング１０２は、押し出しロッド１２２の内部が空洞になって、その内部にピン・コンタクト１０４を囲う構造となっている。
【００３４】
次に、本発明の第４の実施形態に係るコネクタについて、図面を参照して説明する。なお、第２の実施形態と同じ構成要素には同一の参照番号を付して説明を省略する。
【００３５】
（第４の実施形態）
第４の実施形態は、第２の実施形態において、プラグ３０を、図９に示すプラグ３０に置き換えたものである。
【００３６】
プラグ３０は、押し出しピン２０１の代わりに押し出しリング２０２を備える。押し出しリング２０２は、押し出しロッド１２２の内部が空洞になって、その内部にソケット・コンタクト２０４を囲う構造となっている。
【００３７】
このように、本実施形態によれば、半挿し状態でプラグとレセプタクルとが分離していない状態を発生させないことにより、嵌合状態であるか否かを目視などにより容易に判別することができるコネクタを提供することができる。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、上述の実施例では、押し出しピン１０１がばね１２３を備える場合を例として説明したが、押し出しロッド１２２を押し出す方向に力を作用させる弾性部材であれば、ばね１２３に代替することが可能であり、ばねに限定するものではない。
【００３９】
また、上述の実施例では、プラグ３０をレセプタクル２０の根元まで差し込んで回転させることによりロックするロック機構を例に説明したが、本発明はこれに限られるものではなく、ロック機構を有するコネクタであれば異なるロック機構を有するコネクタにも適用できる。
【符号の説明】
【００４０】
１０  コネクタ
２０  レセプタクル
３０  プラグ
１０１  押し出しピン
１０２  押し出しリング
１０３  ロック・ピン・ガイド
１０４  ピン・コンタクト
１０５  ハウジング
１０６  信号線
１０７  絶縁体
１２１  円筒部材
１２２  押し出しロッド
１２３  ばね
１２４  キャップ
２０１  押し出しピン
２０２  押し出しリング
２０３  コネクタ・ロック・ピン
２０４  ソケット・コンタクト
２０５  ハウジング
２０６  信号線
２０７  絶縁体
２１０  ケーブル
４２０  レセプタクル
４３０  プラグ
４４０  装置
５０３  ロック・ピン・ガイド
５０４  ピン・コンタクト
６０３  コネクタ・ロック・ピン
６０４  ソケット・コンタクト
６０６  信号線
６１０  ケーブル
【図１】
2012146532.tif 000003
【図２】
2012146532.tif 000004
【図３】
2012146532.tif 000005
【図４】
2012146532.tif 000006
【図５】
2012146532.tif 000007
【図６】
2012146532.tif 000008
【図７】
2012146532.tif 000009
【図８】
2012146532.tif 000010
【図９】
2012146532.tif 000011
【図１０】
2012146532.tif 000012
【図１１】
2012146532.tif 000013
【図１２】
2012146532.tif 000014
【図１３】
2012146532.tif 000015
【図１４】
2012146532.tif 000016